(57)【特許請求の範囲】
【請求項１】
天井面固定部と、照明器具本体と、天井面固定部と照明器具本体とを導電状態に接続するコードを備え、前記照明器具本体が高さ調整可能に前記天井面固定部から吊り下げ状態に支持されるとともに、
前記天井面固定部の下端部および照明器具本体の上端部の少なくともいずれかに、コードの、余剰長さ部分を収納可能なコード収納部を有し、
このコード収納部のコード出入口にコードを任意の位置で把持固定および把持解除自在なアジャスト機能付きコード把持手段を備えている吊り下げ式照明器具であって、
前記コード収納部は、円筒形をしているコード収容部本体と、
前記コード出入口に対面する位置に前記コードのガイド孔を有し、このガイド孔より前記コード収納部内部側の余剰長さ部分が、前記コード把持手段の把持動作を阻害する位置まで入り込むことを防止する障壁部を備え、
前記ガイド孔が前記コード収納部本体の円筒の中心位置に配置され、前記コードの始端が、前記コード収納部本体の、円筒の内周壁に沿う位置に設けられ、
かつ、前記ガイド孔とコード出入口の距離が前記コードの径の２倍以下であることを特徴とする吊り下げ式照明器具。
【請求項２】
前記コード把持手段が、前記コード出入口にスライド可能に嵌まり込むとともに、内部に前記コードが挿通されるコードガイド筒部と、
このコードガイド筒部のガイド孔側に、前記コードを囲むように放射状に設けられた複数の把持片を備え、
前記コードガイド筒部の前記コード出入口側から前記ガイド孔方向へのスライドによって前記複数の把持片による前記コードの把持が解除されるとともに、前記コードの把持を解消した状態で、前記ガイド孔と前記コード把持手段の把持片先端との距離がコード径より短くなるように形成されている請求項１に記載の吊り下げ式照明器具。
【請求項３】
前記把持片が弾性復元力によって前記把持を解消する状態となるように形成されている請求項２に記載の吊り下げ式照明器具。
【発明の詳細な説明】
【技術分野】
【０００１】
本発明は、吊り下げ式照明器具に関する。
【背景技術】
【０００２】
天井照明に、図９に示すような吊り下げ式照明器具（ペンダントライド）Ｘが使用されている（特許文献１，２参照）。
上記吊り下げ式照明器具Ｘは、天井固定部１００と、照明器具本体２００と、照明器具本体２００を天井固定部１００から吊り下げ状態に支持するコード３００を備えている。
【０００３】
天井固定部１００は、図１１および図１２に示すように、コード３００の余剰部分を収納できるコード収納部１１０を備えている。
コード収納部１１０は、コード出入口１１１を備え、このコード出入口１１１にアジャスト機能付きコード把持手段（以下、「アジャスター」と記す）４００が装着されている。
【０００４】
アジャスター４００は、コード３００が挿通されているとともに、下端側からフランジ部４１０と、コードガイド筒部４２０と、把持部となる４片（図１０、図１１では２片しかあらわれていない）の把持片４３０を順に備えている。
フランジ部４１０は、外径がコード出入口１１１の内径より大きく、内径がコード３００の外径より少し大きくなっている。
【０００５】
コードガイド筒部４２０は、外径がコード出入口１１１の内径より小さく、内径がフランジ部４１０の内径と同じになっている。
把持片４３０は、コード３００を囲むように設けられた放射状に設けられている。
【０００６】
そして、各把持片４３０は、基端側がコードガイド筒部４２０に連設されていて、先端に鍔部４４０を備えている。
そして、各把持片４３０は、鍔部４４０がコード出入口１１１の周縁に係止されるまで、アジャスター４００がコード収納部１１０から引き出された状態で、コード３００の周囲に圧接状態となり、コード３００のスライドを抑止するようになっている。
【０００７】
すなわち、この照明器具Ｘは、アジャスター４００をコード収納部１１０側に押し込めば、把持片４１０が花びら形に広がって把持が解除され、コード収納部１１０にコード３００を所望の長さ押し込んだのち、把持手段を鍔部４４０がコード出入口１１１に係止されるように引き出せば、コード３００がコード収納部１１０から所望の長さ分だけでた状態で固定できる。したがって、アジャスター４００を操作して、天井固定部１００から照明器具本体２００までのコード３００の長さを容易に変更できる。
【先行技術文献】
【特許文献】
【０００８】
【特許文献１】登録実用新案第3031619号公報
【特許文献２】特開2000-331530号公報
【発明の概要】
【発明が解決しようとする課題】
【０００９】
しかし、上記従来の照明器具Ｘの場合、つぎのような問題がある。
（１）コード収納部１１０にコード３００を挿入する際の課題
コード３００がコード収納部１１０内で無秩序に曲がって折りたたまれるため、コード３００がコード収納部１１０内でつっぱりスムースに挿入しにくい。
また、コード収納部１１０内で無秩序に畳まれるため、コード３００に無理な荷重がかかり、場合によっては変形（折れ曲がる）することがある。
(２) コード収納部１１０からコード３００を引き出す際の課題
コード収納部１１０内でコード３００が極端な変形をして収納されていると、アジャスター４００を通してコード３００が引き出しにくくなる。
また、場合によってはアジャスター４００の把持片４３０と把持片４３０の間にコード３００が絡まり動かなく時がある。
そこで、従来の照明器具Ｘの場合、特にコード３００が動かなくなることも想定して、コード収納部１１０を取り外し可能にビス等で固定し、必要に応じてコード収納部１１０を分解することができるようにしているが、分解、組み立て作業が面倒である。
【００１０】
本発明は、上記事情に鑑みて、コード把持手段の操作のみで、コード収納部からのコードの出し入れを容易に行うことができる吊り下げ式照明器具を提供することを目的としている。
【課題を解決するための手段】
【００１１】
上記目的を達成するために、本発明にかかる吊り下げ式照明器具（以下、「本発明の照明器具」と記す）は、天井面固定部と、照明器具本体と、天井面固定部と照明器具本体とを導電状態に接続するコードを備え、前記照明器具本体が高さ調整可能に前記天井面固定部から吊り下げ状態に支持されるとともに、前記天井面固定部の下端部および照明器具本体の上端部の少なくともいずれかに、コードの、余剰長さ部分を収納可能なコード収納部を有し、このコード収納部のコード出入口にコードを任意の位置で把持固定および把持解除自在なアジャスト機能付きコード把持手段を備えている吊り下げ式照明器具であって、前記コード収納部は、円筒形をしているコード収容部本体と、前記コード出入口に対面する位置に前記コードのガイド孔を有し、このガイド孔より前記コード収納部内部側の余剰長さ部分が、前記コード把持手段の把持動作を阻害する位置まで入り込むことを防止する障壁部を備え、前記ガイド孔が前記コード収納部本体の円筒の中心位置に配置され、前記コードの始端が、前記コード収納部本体の、円筒の内周壁に沿う位置に設けられ、かつ、前記ガイド孔とコード出入口の距離が前記コードの径の２倍以下であることを特徴としている。
【００１２】
本発明において、照明器具本体は、天井固定部にコードのみで吊り下げ状態に支持しても構わないし、コードに加えて、チェーン等の補助吊り具を併用しても構わない。
本発明において、余剰長さ部分とは、照明器具本体の高さ調整を行ったときに、天井面固定部と照明器具本体の間に生じるコードのたるみを意味する。
【００１３】
本発明の照明器具のコードの始端を偏芯位置に固定する方法としては、特に限定されないが、樹脂製結束バンド（例えば、ヘマタイト社の商品名インシュロック）を用いて固定する方法が挙げられる。
【００１５】
本発明の照明器具において、コード出入口と、ガイド孔の距離は、特に限定されないが、上記アジャスターをガイド孔方向にスライドさせて、コードへの把持を解消した状態で、ガイド孔とアジャスター先端との距離がコード径より短いことが好ましく、アジャスターの先端がガイド孔の周囲にほぼ接するようにすることが好ましい。
すなわち、コード出入口とガイド孔との間でコードが折れ曲がろうとしても、アジャスターによってガイドされるため、折れ曲がることがない。したがって、折れ曲がりにより、コードの挿入が阻害されることがない。
【００１６】
本発明の照明器具は、アジャスターが、コード収納部側（ガイド孔側）に押し込むと、コードを囲むように放射状に設けられた把持片の把持部（例えば、係止爪や先端部内壁）が、把持部の弾性復元力等によって外側に開いて把持を解消し、コードをコード収容部方向に進退可能にするとともに、コード出入口から引き出す方向に移動すると、コード出入口の内壁面によって周方向から押圧されて把持部が縮径し、把持部によってコードの周壁を把持してコードがコード収納部方向に進退できない構造をしていることが好ましい。
すなわち、ワンタッチで、コードの把持および把持解除を行うことができ、コードの長さ調整作業が容易である。
【発明の効果】
【００１７】
本発明の照明器具は、以上のように、天井面固定部と、照明器具本体と、天井面固定部と照明器具本体とを導電状態に接続するコードを備え、前記照明器具本体が高さ調整可能に前記天井面固定部から吊り下げ状態に支持されるとともに、前記天井面固定部の下端部および照明器具本体の上端部の少なくともいずれかに、コードの、余剰長さ部分を収納可能なコード収納部を有し、このコード収納部のコード出入口にコードを任意の位置で把持固定および把持解除自在なアジャスト機能付きコード把持手段を備えている吊り下げ式照明器具であって、前記コード収納部は、円筒形をしているコード収容部本体と、前記コード出入口に対面する位置に前記コードのガイド孔を有し、このガイド孔より前記コード収納部内部側の余剰長さ部分が、前記コード把持手段の把持動作を阻害する位置まで入り込むことを防止する障壁部を備え、前記ガイド孔が前記コード収納部本体の円筒の中心位置に配置され、前記コードの始端が、前記コード収納部本体の、円筒の内周壁に沿う位置に設けられ、かつ、前記ガイド孔とコード出入口の距離が前記コードの径の２倍以下であるので、以下のような効果を有する。
(１)コードの余剰部分が、ガイド孔とコード出入口との間に折れ曲がって入りにくいため、コード出入口に支持されたアジャスターの把持部と把持部との間にコードが挟まれたり、コードが把持部にひっかかり挿入を阻害されたりすることがない。
（２）コード引き出し時に、コードがガイド孔を介してアジャスターの把持部の間を垂直に通過するため、把持部と把持部の間にコードが挟まることなく、スムースに引き出せる。
(３）コード収納部が円筒形をしていて、ガイド孔が円筒の中心位置に配置され、コードの始端が、円筒の内周壁に沿う位置に設けられ、コードの挿入時の初期段階でコードが内壁に沿うように配置されるので、コードは、コード収納部の内周壁に沿いながら螺旋状にコード収納部内に収納されていき、コード収納部内でコードが絡まったり、つかえて挿入できなかったりすることを防止できる上、極端な変形をすることもなく収納できる。
【図面の簡単な説明】
【００１８】
【図１】本発明の照明器具の第１の実施の形態をあらわし、その天井固定部側の断面図である。
【図２】図１の照明器具のコードの長さ調節機構を説明する図であって、そのコード余剰コードを。
【図３】図１の照明器具のコードの長さ調節機構を説明する図である。
【図４】本発明の照明器具の第２の実施の形態をあらわす断面図である。
【図５】本発明の照明器具の第３の実施の形態をあらわす断面図である。
【図６】本発明の照明器具の第４の実施の形態をあらわす断面図である。
【図７】本発明の照明器具の第５の実施の形態をあらわす断面図である。
【図８】本発明の照明器具の第６の実施の形態をあらわし、その照明器具本体部分の断面図である。
【図９】従来の照明器具の１例をあらわす図である。
【図１０】図９の照明器具の断面図であって、同図（ｂ）は同図（ａ）のＸ−Ｘ線要部断面図である。
【図１１】図９の照明器具のコードの長さ調節機構を説明する図である。
【発明を実施するための形態】
【００１９】
以下に、本発明を、その実施の形態をあらわす図面を参照しつつ詳しく説明する。
図１〜図３は、本発明の照明器具の第１の実施の形態をあらわしている。
【００２０】
図１〜図３に示すように、この照明器具Ａは、天井固定部１ａと、照明器具本体２ａと、コード３を備えている。
天井固定部１ａは、コード収納部１０と、充電部１４を備えている。
【００２１】
コード収納部１０は、円筒状の収納部本体１０ａと、収納部本体１０ａの底を塞ぐように設けられた底キャップ１２と、障壁部を構成する障壁部材５ａを備えている。
底キャップ１２は、中央にコード出入口１１が穿設されている。
【００２２】
障壁部材５ａは、中央にガイド孔５１が穿設されるとともに、底キャップ１２とともに、ビス１３を介して収納部本体１０ａの下端にねじ固定されている。
【００２３】
また、コード出入口１１には、アジャスター４が装着されている。
アジャスター４は、コードガイド筒部４２と、フランジ部４１と、４片（図１〜図３では２片しかあらわれていない）の把持片４３を備えている。
【００２４】
コードガイド筒部４２は、外径がコード出入口１１の内径より少し小径で、内径がコード３の外径より大径になっている。
フランジ部４１は、コードガイド筒部４２の上端部で外側に広がるように設けられていて、外径がコード出入口１１より大径になっている。
【００２５】
４片の把持片４３は、基端がコードガイド筒部４２の上端に沿って繋がるように放射状に設けられていて、無負荷状態では、先端側が少し外側に開く、あるいは、内径がコード外径と同じか少し大径で、コード３がスライド自在となるとともに、コード出入口１１から引き出される方向にアジャスター４を動かすと、コード出入口１１の内壁面によって内径がコード３の外径より小径化するように縮径し、コード３を把持できるようになっている。
【００２６】
また、各把持片４３は、先端に係止部４４を備えている。
係止部４４は、把持片４３の先端で内外に張り出すように設けられていて、図１および図３に示すように、コード３を把持した状態では、係止部４４の内側張り出し部がコード３の壁面に圧接され、係止部４４の外側張り出し部がコード出入口の周縁に係止されるようになっている。
そして、図２に示すように、フランジ部４１が底キャップ１２に当接するまでアジャスター４をコード収納部１０側に押し込んだ状態で、各把持片４３の先端がコード外周面への押圧が解除されるように少し外側に開き、コード３への係止が解除されるようになっている。
【００２７】
コード３は、充電部１４のコード収納部１０の内周壁近傍を臨む位置からコード収納部１０内に入り込んでいる。
すなわち、コード収納部１０のコード３の始端３１は、コード収納部１０の上端部のコード収納部１０の内壁面に沿う位置に設けられている。
【００２８】
そして、コード３は、コード３の始端３１と偏芯した位置に設けられたガイド孔５１およびアジャスター４を介してコード出入口１１を通り、照明器具本体２ａに接続されている。
すなわち、ガイド孔５１は、コード３の始端に対し偏芯した位置に設けられている。
【００２９】
なお、図１〜図３中、６はシーリングコンセントである。
【００３０】
この照明器具Ａは、上記のように構成されているので、以下のような優れた性能を有する。
（１）コード出入口１１を臨むように、コード収納部１０内にガイド孔５１を備えた障壁部材５ａによって障壁部が形成されているので、コード収納部１０内にコード３を収納する際に、コード３がコード収納部１０内で曲がりが生じても、アジャスター部分に曲がった部分が入り込むことを抑止できる。
したがって、把持片４３と把持片４３の間にコード３がかみ込んで、照明器具本体２ａの高さ調整をスムースに行うことができないという問題を解決できる。
（２）コード３の始端３１がコード収納部１０の内周壁に沿う位置に設けられ、ガイド孔５１がコード収納部１０の中央に設けられているので、コード３の挿入時の初期段階でコード３が内壁に沿うように配置されているため、コード３が内壁に沿うようスムースに収納される。
よって、コード収納部１０内でコード３が絡まることなく、また、極端な変形をすることもなく収納できる。
【００３１】
図４は、本発明の照明器具の第２の実施の形態をあらわしている。
図４に示すように、この照明器具Ｂは、以下の構成以外は、上記の照明器具Ａと同様になっている。したがって、上記照明器具Ａと同様の構成部分は、同じ符号を付している。
【００３２】
すなわち、この照明器具Ｂは、コード収納部１０がコード出入口１１を備え、収納部本体１０ａと底１０ｂが一体成形されて、障壁部を構成する障壁部材５ｂが中央にガイド孔５１を備えた周囲に鍔部５２を断面略ハット形をしている。
そして、障壁部材５ｂが、コード収納部１０の底１０ｂに鍔部５２が溶接固定されている
【００３３】
図５は、本発明の照明器具の第３の実施の形態をあらわしている。
図５に示すように、この照明器具Ｃは、以下の構成以外は、上記の照明器具Ａと同様になっている。したがって、上記照明器具Ａと同様の構成部分は、同じ符号を付している。
【００３４】
すなわち、この照明器具Ｃは、コード収納部本体１０ａの底１０ｂにガイド孔５１が設けられていて、鍔付きの有底箱形をして底中央にコード出入口１１を有するコード出入口形成部材１５が箱の底を上に向けてコード収納部本体１０ａの底１０ｂの下面に溶接固定されている。
そして、この照明器具Ｃは、底１０ｂが障壁部を構成している。
【００３５】
図６は、本発明の照明器具の第４の実施の形態をあらわしている。
図６に示すように、この照明器具Ｄは、以下の構成以外は、上記の照明器具Ａと同様になっている。したがって、上記照明器具Ａと同様の構成部分は、同じ符号を付している。
【００３６】
すなわち、この照明器具Ｄは、コード収納部本体１０ａの底１０ｂの中央部１０ｃが円錐台形状にコード収納部本体１０ａの内側に入り込んでいて、障壁部としての中央部１０ｃの中央にガイド孔５１が形成されている。
そして、中央にコード出入口１１を備えた円盤状のコード出入口部材６が底１０ｂの下面に溶接固定されている。
【００３７】
図７は、本発明の照明器具の第５の実施の形態をあらわしている。
図７に示すように、この照明器具Ｅは、以下の構成以外は、上記の照明器具Ａと同様になっている。したがって、上記照明器具Ａと同様の構成部分は、同じ符号を付している。
【００３８】
すなわち、この照明器具Ｅは、コード収納部本体１０ａの底１０ｂの中央部１０ｄがコード収納部本体１０ａの下方に向かって突出した円錐台形状に突設していて、この中央部１０ｄに中央にコード出入口１１が形成されている。
また、ガイド孔５１を備える円盤状をしたガイド孔形成部材５ｅがコード収納部本体１０ａの底１０ｂに溶接固定されている。
【００３９】
図８は、本発明の照明器具の第６の実施の形態をあらわしている。
図８に示すように、この照明器具Ｆは、照明器具本体２ｂの上端部にコード収納部２０を備えていて、以下の構成となっているとともに、図示していないが、天井固定部側にコード収納部が設けられていない以外は、照明器具Ａと同様になっている。したがって、上記照明器具Ａと同様の構成部分は、同じ符号を付している。
【００４０】
すなわち、この照明器具Ｆは、コード収納部２０の天井面中央にコード出入口２１が設けられている。
また。コード収納部１０内には、底中央にガイド孔５１を備えた有底円筒形をした障壁部材５ｆが収納され、ビス２３によって固定されている。
【００４１】
本発明は、上記の実施の形態に限定されない。例えば、上記の実施の形態では、天井固定部側あるいは照明器具本体側のいずれかにコード収納部が設けられていたが、天井固定部および照明器具本体の両方に同様のコード収納部を設け、コードの上下方向のいずれ側でも長さ調節できるようにしても構わない。
上記の実施の形態では、天井固定部あるいは照明器具本体のいずれかにコード収納部が設けられていたが、天井固定部および照明器具本体の両側にコード収納部を設けるようにしても構わない。
【００４２】
上記の実施の形態では、コードの把持固定を把持片のみで行っていたが、把持片の把持状態が安定するようにビス等で把持片の動きを止める安全装置を設けるようにしても構わない。
上記の実施の形態では、障壁部材にはガイド孔以外の孔が設けられていなかったが、コードが入り込まない程度の大きさの孔が設けられていても構わないし、メッシュ状になっていても構わない。
【００４３】
上記の第２〜第５の実施の形態では、ガイド孔形成部材がコード収納部本体の底に、コード出入口部材がコード収納部本体の底に溶接固定されていたが、ビス固定でもよいし、融着や接着でも構わない。
【符号の説明】
【００４４】
Ａ，Ｂ，Ｃ，Ｄ，Ｅ，Ｆ  照明器具
１ａ，１ｂ，１ｃ，１ｄ，１ｅ
１０，２０  コード収納部
１１、２１  コード出入口
１２、１５  コード出入口形成部材
１３、２３  ビス
１４  充電部
２ａ，２ｂ  照明器具本体
３  コード
３１  コード始端
４  アジャスター（コード把持手段）
４１  フランジ部
４２  コード
４３  把持部
４４  鍔部
５ａ、５ｅ、５ｆ  障壁部材（障壁部）
５１  ガイド孔
６  シーリングコンセント
【図１】
0006647870.tif 000002
【図２】
0006647870.tif 000003
【図３】
0006647870.tif 000004
【図４】
0006647870.tif 000005
【図５】
0006647870.tif 000006
【図６】
0006647870.tif 000007
【図７】
0006647870.tif 000008
【図８】
0006647870.tif 000009
【図９】
0006647870.tif 000010
【図１０】
0006647870.tif 000011
【図１１】
0006647870.tif 000012